(57)【特許請求の範囲】
【請求項１】
人が携帯することが可能な大きさに形成されたスマートフォン、タブレット型コンピュータ、携帯電話またはメガネからなる携帯物品を出し入れ自在に保持する携帯物品保持ケースであって、
弾力性のあるクッション材をシート状の外皮材で包んで構成したケース本体と、
前記ケース本体の外表面に開口した状態で同ケース本体の内部に形成されて前記携帯物品の収容方向の長さの半分の深さの袋状に形成されて同携帯物品の半分を前記ケース本体の外側に露出させた状態で同携帯物品の他の半分を収容する物品収容部と、
前記物品収容部から前記携帯物品における前記半分の部分とともに露出した状態で設けられて同半分の部分を拭くことができる大きさに形成された物品クリーナーとを備えることを特徴とする携帯物品保持ケース。
【請求項２】
請求項１に記載した携帯物品保持ケースにおいて、
前記物品クリーナーは、
前記ケース本体に対して別体で設けられていることを特徴とする携帯物品保持ケース。
【請求項３】
請求項１または請求項２に記載した携帯物品保持ケースにおいて、
前記物品収容部は、
前記ケース本体の上面部に上方に開口して形成されており、
前記物品クリーナーは、
前記物品収容部から露出する前記携帯物品における前記半分の部分に沿って自立して延びて形成されていることを特徴とする携帯物品保持ケース。
【請求項４】
請求項１ないし請求項３のうちのいずれか１つに記載した携帯物品保持ケースにおいて、
前記物品クリーナーは、
前記物品収容部が前記ケース本体の外表面に開口した部分の開口幅よりも幅広な部分と同開口幅より狭い部分とを有したＶ字状に形成されているとともに同開口幅より狭い部分が前記物品収容部内に設けられて前記Ｖ字状に広がった先端部側が前記物品収容部から露出して設けられていることを特徴とする携帯物品保持ケース。
【請求項５】
請求項１ないし請求項４のうちのいずれか１つに記載した携帯物品保持ケースにおいて、
前記ケース本体は、
前記クッション体が綿で構成されており、さらに、
前記ケース本体内における前記物品収容部の底部の直下に同ケース本体の底部に面した状態で多数の粒体からなる物品受け体を備え、
前記物品受け体は、
前記物品収容部内に収容された前記携帯物品の底部を同底部形状に沿って変形しながら支持するとともに、前記携帯物品の重量を受けつつ前記携帯物品保持ケースが置かれる載置面の形状に沿って変形して重石として機能することを特徴とする携帯物品保持ケース。
【発明の詳細な説明】
【技術分野】
【０００１】
本発明は、主として、スマートフォン、携帯電話、メガネまたはデジタルカメラなどの人が携帯することが可能な大きさに形成された携帯物品を出し入れ自在に保持する携帯物品保持ケースに関する。
【背景技術】
【０００２】
従来から、スマートフォン、携帯電話、メガネまたはデジタルカメラなどの人が携帯することが可能な大きさに形成された携帯物品を出し入れ自在に保持する携帯物品保持ケースがある。例えば、下記特許文献１には、ワニの外観を模したぬいぐるみ本体部の内部にメガネの一部を露出させた状態で収容することができるメガネケースが開示されている。
【先行技術文献】
【特許文献】
【０００３】
【特許文献１】実用新案登録第３１３２２０３号公報
【０００４】
しかしながら、上記特許文献１に記載されたメガネケースにおいては、使用したメガネを保管するためのものであるため、使用によってメガネに付着した汚れやゴミなどを除去することはできない。したがって、使用者は、メガネに付着した汚れやゴミを別途ハンカチやティッシュを用意して拭き取らなければならないが、ハンカチやティッシュなどを持参していない場合には行うことができないとともに、持参している場合であってもこれらをバッグなどの中から取り出す手間が煩雑であるという問題がある。また、身体に直接使用するハンカチをこれらの物品の汚れの除去に使用することに少なからず抵抗感を感じるという問題もある。
【０００５】
本発明は上記問題に対処するためなされたもので、その目的は、スマートフォン、携帯電話、メガネまたはデジタルカメラなどの人が携帯することが可能な大きさに形成された携帯物品に付着した汚れやゴミを拭き取ることができる携帯物品保持ケースを提供することにある。
【発明の概要】
【０００６】
上記目的を達成するため、本発明の特徴は、人が携帯することが可能な大きさに形成されたスマートフォン、タブレット型コンピュータ、携帯電話またはメガネからなる携帯物品を出し入れ自在に保持する携帯物品保持ケースであって、弾力性のあるクッション材をシート状の外皮材で包んで構成したケース本体と、ケース本体の外表面に開口した状態で同ケース本体の内部に形成されて携帯物品の収容方向の長さの半分の深さの袋状に形成されて同携帯物品の半分をケース本体の外側に露出させた状態で同携帯物品の他の半分を収容する物品収容部と、物品収容部から携帯物品における前記半分の部分とともに露出した状態で設けられて同半分の部分を拭くことができる大きさに形成された物品クリーナーとを備えることにある。
【０００７】
このように構成した本発明の特徴によれば、携帯物品保持ケースは、携帯物品の一部を露出させた状態で他の一部を収容する物品収容部と、この物品収容部から露出した状態で設けられた物品クリーナーとを備えて構成されているため、物品収容部によって携帯物品の一部を収容する際に汚れやゴミを拭き取ることができるとともに、物品収容部から露出した携帯物品の他の一部を物品クリーナーによって拭き取ることができる。
【０００８】
また、本発明の他の特徴は、前記携帯物品保持ケースにおいて、物品クリーナーは、ケース本体に対して別体で設けられていることにある。
【０００９】
このように構成した本発明の他の特徴によれば、携帯物品保持ケースにおいては、物品クリーナーがケース本体に対して別体で設けられているため、物品クリーナーをケース本体から分離することによって携帯物品をケース本体から離した状態で広範囲または細部まで拭くことができる。
【００１０】
また、本発明の他の特徴は、前記携帯物品保持ケースにおいて、物品収容部は、ケース本体の上面部に上方に開口して形成されており、物品クリーナーは、物品収容部から露出する携帯物品における前記半分の部分に沿って自立して延びて形成されていることにある。
【００１１】
このように構成した本発明の他の特徴によれば、携帯物品保持ケースは、物品クリーナーが物品収容部から露出する携帯物品における一部に沿って延びて形成されているため、携帯物品における物品収容部から露出した部分を即座に拭くことができるとともに、この携帯物品における露出した部分を覆って保護することもできる。
【００１２】
また、本発明の他の特徴は、前記携帯物品保持ケースにおいて、物品クリーナーは、物品収容部がケース本体の外表面に開口した部分の開口幅よりも幅広な部分と同開口幅より狭い部分とを有したＶ字状に形成されているとともに同開口幅より狭い部分が物品収容部内に設けられてＶ字状に広がった先端部側が物品収容部から露出して設けられていることにある。
【００１３】
このように構成した本発明の他の特徴によれば、携帯物品保持ケースは、物品クリーナーが物品収容部がケース本体の外表面に開口した部分の開口幅よりも幅広な部分と同開口幅より狭い部分とを有して形成されているため、物品クリーナーの挿し込み過ぎを抑制しつつ物品収容部に対する出し入れを容易にすることができる。
【００１４】
また、本発明の他の特徴は、携帯物品保持ケースにおいて、ケース本体は、クッション体が綿で構成されており、さらに、ケース本体内における物品収容部の底部の直下に同ケース本体の底部に面した状態で多数の粒体からなる物品受け体を備え、物品受け体は、物品収容部内に収容された携帯物品の底部を同底部形状に沿って変形しながら支持するとともに、携帯物品の重量を受けつつ携帯物品保持ケースが置かれる載置面の形状に沿って変形して重石として機能することにある。
【００１５】
このように構成した本発明の他の特徴によれば、携帯物品保持ケースは、ケース本体内における物品収容部の底部の直下に同ケース本体の底部に面した状態で多数の粒体からなる物品受け体を備えているため、この物品受け体が物品収容部内に収容された携帯物品の底部を同底部形状に沿って変形しながら支持するとともに、携帯物品の重量を受けつつ携帯物品保持ケースが置かれる載置面の形状に沿って変形する。すなわち、携帯物品保持ケースは、携帯物品および載置面の形状に沿って変形することで携帯物品を安定的に保持することができる。
【図面の簡単な説明】
【００１６】
【図１】本発明に係るメガネケースの外観構成の概略を斜め前方から示した斜視図である。
【図２】図１に示した携帯物品保持ケースの外観構成の概略を斜め後方から示した斜視図である。
【図３】図１に示した携帯物品保持ケースの物品収容部に携帯物品を収容した状態を示した斜視図である。
【図４】図３に示した４−４線から見た携帯物品保持ケースの内部構成の概略を示す断面図である。
【図５】図１に示す携帯物品保持ケースのケース本体から物品クリーナーを分離した状態の概略を斜め前方から示した斜視図である。
【図６】図３に示した携帯物品保持ケースにおいて物品クリーナーで携帯物品を拭いている状態を斜め前方から示した斜視図である。
【図７】携帯物品保持ケースのケース本体から分離した物品クリーナーで携帯物品を拭いている状態を斜め前方から示した斜視図である。
【発明を実施するための形態】
【００１７】
以下、本発明に係る携帯物品保持ケースの一実施形態について図面を参照しながら説明する。図１は、本発明に係る携帯物品保持ケース１００の外観構成の概略を斜め前方から示した斜視図である。また、図２は、図１に示した携帯物品保持ケース１００の外観構成の概略を斜め後方から示した斜視図である。図３は、図１に示した携帯物品保持ケース１００の物品収容部に携帯物品を収容した状態を示した斜視図である。また、図４は、図３に示した４−４線から見た携帯物品保持ケース１００の内部構成の概略を示す断面図である。この携帯物品保持ケース１００は、主としてスマートフォンや携帯電話機などの人が携帯することが可能な大きさに形成された携帯物品を一時的に保管するための入れ物である。
【００１８】
（携帯物品保持ケース１００の構成）
携帯物品保持ケース１００は、主として、ケース本体１１０と、物品クリーナー１２０とで構成されている。ケース本体１１０は、外皮材１１１の中に後述するクッション材１１４および物品受け体１１５をそれぞれ包み込んで縫合することにより動物の外観を模した立体形状に形成されている。本実施形態においては、ケース本体１１０は、ネコの外観を模した略楕円球状の立体形状で構成されている。換言すれば、ケース本体１１０は、所謂ネコのぬいぐるみである。外皮材１１１は、ケース本体１１０の外側表面を構成するシート状の部材である。本実施形態においては、外皮材１１１は、毛皮状素材、例えば、ファー、ボア、パイル、モヘアまたはシールなどで構成されている。
【００１９】
このケース本体１１０の内部には、ケース本体１１０の上面部（ネコの頭頂部）に開口した状態で物品収容部１１２が形成されている。物品収容部１１２は、図３および図４にそれぞれ示すように、携帯物品保持ケース１００が保持する携帯物品ＷＫを収容する部分であり、ネコ型に成形されたケース本体１１０におけるネコの頭頂部からケース本体１１０の内部に掛けて携帯物品ＷＫの一部を収容可能な形状および大きさの袋状に形成されている。具体的には、物品収容部１１２は、スマートフォンからなる携帯物品ＷＫにおける長手方向の半分を収容可能な幅および深さの袋状に形成されている。すなわち、物品収容部１１２は、携帯物品ＷＫの一部をケース本体１１０の外側に露出させた状態で他の一部を収容する袋状に形成されている。
【００２０】
この物品収容部１１２は、携帯物品ＷＫの表面にキズなどの損傷を与えない柔軟で柔らかい布材や皮材などの素材で構成されている。本実施形態においては、物品収容部１１２は、ポリエステル製の超極細繊維で形成された布素材で構成されている。また、物品収容部１１２の底部の外側には、物品収容部１１２と同じ素材で覆われた状態で底板１１３が設けられている。底板１１３は、物品収容部１１２内に収容された携帯物品ＷＫを後述する物品受け板上で安定的に支持するための部品であり、携帯物品ＷＫの重さで容易に変形しない剛性のある紙製や樹脂製の板状体で構成されている。この場合、底板１１３は携帯物品ＷＫの底面形状と同じまたはそれ以上の大きさに形成されている。
【００２１】
ケース本体１１０内における物品収容部１１２の外側には、クッション材１１４および物品受け体１１５がそれぞれ設けられている。これらのうち、クッション材１１４は、ケース本体１１０を弾性的に形成するとともに物品収容部１１２内に収容される携帯物品ＷＫを圧迫して物品収容部１１２から抜け難くするためものであり、弾力性のあるポリエステル製の綿（わた）素材で構成されている。このクッション材１１４は、ケース本体１１０内における物品収容部１１２および物品受け体１１５の各周囲に充填されている。なお、クッション材１１４は、弾力性のある素材で構成されていればよく、ポリエステル製の綿素材以外の素材、例えば、スポンジ、ウレタン、低反発素材、樹脂製ビーズなどで構成することもできる。
【００２２】
物品受け体１１５は、携帯物品保持ケース１００を机上などの載置面上に安定的に載置させるとともに物品収容部１１２内に収容された携帯物品ＷＫの底部を底板１１３を介して安定的に支持するためのものであり、袋体１１５ａの中に物品受け体１１５全体として弾性変形可能な変形体１１５ｂが設けられて構成されている。本実施形態においては、物品受け体１１５は、布製の袋体１１５ａの中に多数の樹脂製のビーズからなる変形体１１５ｂが充填されて構成されている。この場合、物品受け体１１５は、物品収容部１１２内に収容される携帯物品ＷＫの底面における少なくとも半分以上の面を受け止めることができる大きさで形成されている。本実施形態においては、物品受け体１１５は、物品収容部１１２内に収容される携帯物品ＷＫの底面の全面を受け止めることができるように同底面よりも大きな面積で形成されている。
【００２３】
そして、この物品受け体１１５は、ケース本体１１０内における物品収容部１１２の底部の底板１１３を介した直下であってケース本体１１０の底部に面する位置に配置されている。本実施形態においては、物品受け体１１５は、物品受け体１１５の重心位置（または中心位置）が物品収容部１１２の真下よりも携帯物品保持ケース１００の前方側にずれて配置されている。なお、物品受け体１１５は、物品受け体１１５全体として弾性変形可能に形成されていればよく、樹脂製ビーズの以外の材料、例えば、スポンジ、ウレタン、低反発素材などで構成することもできる。
【００２４】
また、ケース本体１１０における背面下部には、突起１１６が設けられている。突起１１６は、ケース本体１１０が後方に傾くことを防止するための部分であり、ケース本体１１０における背面の下部から後方に向かって棒状に延びて形成されている。この突起１１６は、ケース本体１１０と同じ布材を筒状に形成するとともに、筒体の内部に綿（わた）を詰めて構成されている。本実施形態においては、突起１１６は、ネコの尻尾を模して構成されている。なお、この突起１１６は、ケース本体１１０の傾斜しない場合や傾斜が許容される場合には、紐状に形成して装飾とすることができるとともに省略することもできる。
【００２５】
物品クリーナー１２０は、図５および図６にそれぞれ示すように、主として、携帯物品ＷＫの全体または物品収容部１１２内に収容した携帯物品ＷＫにおける物品収容部１１２からはみ出した部分を拭くためのものであり、物品収容部１１２から露出した状態で設けられている。この物品クリーナー１２０は、携帯物品保持ケース１００の使用者が手に持って携帯物品ＷＫを拭くことができる大きさに形成されている。
【００２６】
より具体的には、物品クリーナー１２０は、ケース本体１１０とは別体の布材を正面視でＶ字状に形成して構成されている。この場合、物品クリーナー１２０は、２面のうちの一方の面が携帯物品ＷＫの表面にキズなどの損傷を与えない柔軟で柔らかい布材や皮材などの素材で構成されている。また、物品クリーナー１２０は、Ｖ字に広がった部分が物品収容部１１２の開口幅（横幅）よりも幅広に形成されており、先端部側が物品収容部１１２の外側に露出するように形成されている。
【００２７】
本実施形態においては、物品クリーナー１２０は、一方の表面（ひょうめん）である表面（おもてめん）１２１ａがケース本体１１０の外皮材１１１と同じ毛皮状素材で構成されるとともに、他方の表面である裏面１２１ｂが物品収容部１１２と同じ超極細繊維で構成されている。また、物品クリーナー１２０は、表面１２１ａと裏面１２１ｂとの間の内部に綿（わた）が詰められており、使用者が物品クリーナー１２０の中央部を指で把持した際に両端部側が自立する程度の剛性を有するように構成されている。そして、この物品クリーナー１２０の表面１２１ａの両端部には、使用者の指を挿入することができる挿指部１２２が形成されている。
【００２８】
（携帯物品保持ケース１００の作動）
次に、このように構成された携帯物品保持ケース１００の作動について説明する。まず、携帯物品保持ケース１００の使用者は、携帯物品ＷＫの保管に際して携帯物品保持ケース１００を用意して机などの載置面上に配置する。この場合、携帯物品保持ケース１００は、物品受け体１１５が載置面に沿って変形して密着するとともに重石として機能するため安定的に載置される。
【００２９】
次に、使用者は、携帯物品ＷＫを携帯物品保持ケース１００の物品収容部１１２内に収納する。具体的には、使用者は、ケース本体１１０における物品収容部１１２の開口部分（ネコ型の携帯物品保持ケース１００における頭頂部）から携帯物品ＷＫを挿し入れた後、同携帯物品ＷＫが物品収容部１１２内の底部に突き当たるまで挿し込む。この場合、使用者は、物品収容部１１２内に物品クリーナー１２０を挿し込んだ状態で携帯物品ＷＫを挿し込んでもよいし、物品収容部１１２内から物品クリーナー１２０を抜き出した状態で携帯物品ＷＫを挿し込んでもよい。
【００３０】
携帯物品ＷＫを物品収容部１１２内に挿入する過程において、携帯物品保持ケース１００は、物品収容部１１２が携帯物品ＷＫに損傷を与えない柔軟で柔らかい素材で構成されているため、携帯物品ＷＫに損傷を与えないとともに携帯物品ＷＫの表面に付着している汚れやごみを取り除くことができる。また、この場合、携帯物品保持ケース１００は、物品クリーナー１２０の裏面１２１ｂも帯物品ＷＫに損傷を与えない柔軟で柔らかい素材で構成されている。したがって、携帯物品保持ケース１００は、物品収容部１１２内に物品クリーナー１２０が挿し込まれている場合においても物品クリーナー１２０によって携帯物品ＷＫに損傷を与えないとともに携帯物品ＷＫの表面に付着している汚れやごみを取り除くことができる。
【００３１】
物品収容部１１２内に収容された携帯物品ＷＫは、図示下側半分が物品収容部１１２内に収容された状態で図示上側半分が物品収容部１１２から露出した状態で保持される。この場合、携帯物品保持ケース１００は、携帯物品ＷＫの底面を底板１１３を介して物品受け体１１５で支持する。これにより、携帯物品保持ケース１００は、底板１１３によって物品受け体１１５上において携帯物品ＷＫの過度な傾きを防止できるとともに、物品受け体１１５が載置面の形状および底板１１３の姿勢に応じて変形して安定的に携帯物品ＷＫを保持することができる。
【００３２】
また、携帯物品保持ケース１００は、ケース本体１１０の背面下部に突起１１６が設けられているため、携帯物品ＷＫを収容した状態においても後方への過度な傾斜および転倒を防止することができる。さらに、携帯物品保持ケース１００は、仮に、ケース本体１１０が前方に向かって転倒した場合であっても、物品収容部１１２内には携帯物品ＷＫの前方に物品クリーナー１２０が挿入されているため、携帯物品ＷＫへの損傷を防止することがきる。
【００３３】
また、使用者は、物品収容部１１２内に携帯物品ＷＫを収容した状態で携帯物品ＷＫの汚れやごみを取り除くことができる。具体的には、使用者は、図６に示すように、物品収容部１１２内に携帯物品ＷＫを収容した状態でケース本体１１０と携帯物品ＷＫとを同時に両手で把持しつつ親指を物品クリーナー１２０の表面１２１ａに押し付けて動かすことによって携帯物品ＷＫの表面を拭くことができる。
【００３４】
そして、使用者は、携帯物品保持ケース１００による保持を中断する場合には、携帯物品ＷＫを物品収容部１１２内から抜き取る。この場合、携帯物品保持ケース１００は、物品収容部１１２が携帯物品ＷＫに損傷を与えない柔軟で柔らかい素材で構成されているため、携帯物品ＷＫに損傷を与えないとともに携帯物品ＷＫの表面に付着している汚れやごみを取り除くことができる。また、携帯物品保持ケース１００は、物品クリーナー１２０の裏面１２１ｂも帯物品ＷＫに損傷を与えない柔軟で柔らかい素材で構成されているため、物品収容部１１２内に物品クリーナー１２０が挿し込まれている場合においては物品クリーナー１２０によって携帯物品ＷＫに損傷を与えないとともに携帯物品ＷＫの表面に付着している汚れやごみを取り除くことができる。
【００３５】
一方、使用者は、携帯物品ＷＫを携帯物品保持ケース１００に保持させない状態においても携帯物品ＷＫに付着した汚れやゴミを拭き取ることができる。具体的には、使用者は、図７に示すように、携帯物品保持ケース１００の物品収容部１１２内から物品クリーナー１２０を抜き取った後、抜き取った物品クリーナー１２０における挿指部１２２内に手指（例えば、親指と人差し指）を挿入する。次いで、使用者は、把持した携帯物品ＷＫを物品クリーナー１２０で挟んだ状態で相対変位させることにより拭くことができる。そして、使用者は、携帯物品ＷＫを拭き終えた後には物品クリーナー１２０を携帯物品保持ケース１００の物品収容部１１２内に挿しこむ。この場合、物品クリーナー１２０は、中央部が両端部の幅より狭く形成されて、換言すれば物品収容部１１２の開口幅よりも狭小に形成されているため、物品収容部に対して容易に挿し込むことができる。
【００３６】
上記作動説明からも理解できるように、上記実施形態によれば、携帯物品保持ケース１００は、携帯物品ＷＫの一部を露出させた状態で他の一部を収容する物品収容部１１２と、この物品収容部１１２から露出した状態で設けられた物品クリーナー１２０とを備えて構成されているため、物品収容部１１２によって携帯物品ＷＫの一部を収容する際に汚れやゴミを拭き取ることができるとともに、物品収容部ＷＫから露出した携帯物品ＷＫの他の一部を物品クリーナー１２０によって拭き取ることができる。
【００３７】
さらに、本発明の実施にあたっては、上記実施形態に限定されるものではなく、本発明の目的を逸脱しない限りにおいて種々の変更が可能である。なお、下記各変形例において、上記実施形態と同様の構成部分については同じ符号を付して、その説明を省略する。
【００３８】
例えば、上記実施形態においては、携帯物品保持ケース１００は、物品クリーナー１２０は、ケース本体１１０に対して別体で構成した。しかし、携帯物品保持ケース１００は、物品収容部１１２から露出した携帯物品ＷＫを拭くことができるように物品収容部１１２から露出した状態で携帯物品ＷＫを拭くことができる大きさに形成されていればよい。したがって、物品クリーナー１２０は、例えば、布片や上記実施形態のように弾力性を有する弾性体をケース本体１１０の開口部に繋がった状態、またはケース本体１１０に対して紐体などを介して繋がった状態で構成することができる。すなわち、物品クリーナー１２０は、ケース本体１１０と一体的に構成することもできる。
【００３９】
また、上記実施形態においては、物品クリーナー１２０は、物品収容部１１２内に挿入した際に垂れることなく自立するように構成されている。換言すれば、物品クリーナー１２０は、物品収容部１１２内に収容された携帯物品ＷＫの露出部に沿って延びるように構成されている。しかし、物品クリーナー１２０は、必ずしも自立する必要はなく、物品収容部１１２内に挿入した際に下方に垂れるように構成することもできる。この場合、物品クリーナー１２０は、物品収容部１１２内に収容された携帯物品ＷＫの露出部を覆う大きさの布片で構成することにより、携帯物品ＷＫへの汚れやゴミの付着を防止することができる。
【００４０】
また、上記実施形態においては、物品クリーナー１２０は、使用者の指を挿入することができる挿指部１２２を備えている。しかし、物品クリーナー１２０は、必ずしも挿指部１２２を備えている必要はなく、挿指部１２２を省略して構成することもできる。
【００４１】
また、上記実施形態においては、物品クリーナー１２０は、中央部から両端部に向かって幅が広がるＶ字形状に形成した。この場合、物品クリーナー１２０は、両端部の挿指部１２２の幅がケース本体１１０の外表面に開口する物品収容部１１２の開口幅（横幅）よりも幅広に形成されるとともに、挿指部１２２より中央部側が同開口幅より狭く形成されている。すなわち、物品クリーナー１２０は、物品収容部１１２がケース本体１１０の外表面に開口した部分の開口幅（横幅）よりも幅広な部分と同開口幅より狭い部分とを有して構成されている。これにより、携帯物品保持ケース１００は、物品収容部１１２に対して物品クリーナー１２０の挿し込み過ぎを防止しながら抜き挿しを用意することができる。しかし、物品クリーナー１２０は、必ずしもＶ字状に形成する必要はなく、例えば、棒状、扇状、三角形状、四角形状、楕円形状、円形状または星形形状などの種々の形状に形成することができる。
【００４２】
また、上記実施形態においては、携帯物品保持ケース１００は、ケース本体１１０内に物品受け体１１５を設けて構成した。この場合、物品受け体１１５は、物品収容部１１２の真下よりも携帯物品保持ケース１００の前方側にずれて配置されている。これにより、携帯物品保持ケース１００は、携帯物品ＷＫを保持した場合における携帯物品ＷＫの前方への傾倒やケース本体１１０の前方への転倒を抑制することができる。しかし、物品受け体１１５は、ケース本体１１０内における物品収容部１１２の底部の底板１１３を介した直下であってケース本体１１０の底部に面する位置に配置されていればよい。一方で、携帯物品保持ケース１００は、物品受け体１１５および底板１１３をそれぞれ省略して構成することもできる。
【００４３】
また、上記実施携帯においては、携帯物品保持ケース１００は、全体としてネコの外観も模した立体楕円形状に形成した。しかし、携帯物品保持ケース１００は、物品収容部１１２に携帯物品ＷＫを物品クリーナー１１２とともに保持可能に形成されていれば必ずしも上記実施形態の形状に限定されるものではない。すなわち、携帯物品保持ケース１００は、例えば、動物、植物、キャラクタ、建造物、構造物、美術品または食品の外形を模した形状に成形することができる。
【００４４】
この場合、動物としては、例えば、愛玩動物（イヌ、ネコ、小鳥、ねずみなど）、干支、各種野生動物（ライオン、カバ、キリン、コアラ、ラッコ、イルカ、クジラ、カメ、ヘビ、ワニ、カメレオンなど）、魚類（サメ、クマノミ、イカ、タコなど）、貝類（帆立貝、サザエなど）、昆虫（カブトムシ、クワガタムシ、カマキリ、セミなど）および龍や鳳凰などの架空の動物などが考えられる。また、キャラクタとしては、アニメ、映画、ＴＶドラマ、童話、昔話などの主人公や登場物、および擬人化した動植物（例えば、擬人化したネズミなど）などが考えられる。また、植物としては、花（ヒマワリ、チューリップなど）や木（ヤシ、竹、スギなど）などが考えられる。また、建造物としては、橋、鉄塔、ビルおよび寺社仏閣などが考えられる。また、構造物としては、車両（二輪車、四輪乗用車、消防車などの各種作業車など）、列車、船舶および飛行機などが考えられる。また、美術品としては、仏像およびモニュメントなどが考えられる。また、食品としては、ハンバーガー、フランクフルトソーセージおよびサンドイッチなどが考えられる。そして、これらの場合、物品クリーナー１２０は、これらの動物、植物、キャラクタ、建造物、構造物または美術品の一部の構成を模して構成することができる。また、これらの場合、物品収容部１１２は、携帯物品ＷＫを垂直方向に出し入れ可能に形成するほか、水平方向や斜め方向に出し入れ可能に形成することができる。これらより、携帯物品保持ケース１００の使用者は、携帯物品保持ケース１００のデザイン性に対して高い満足感を得ることができる。
【００４５】
また、上記実施形態においては、携帯物品ＷＫをスマートフォンとした。しかし、携帯物品ＷＫは、人が携帯可能な大きさに形成されたものであれば、必ずしも上記実施携帯に限定されるものではない。したがって、携帯物品ＷＫは、例えば、メガネ、時計、携帯電話機やタブレット型コンピュータなどの携帯端末装置、パソコン、デジタルカメラ、宝石などのジュエリー、または鍵や化粧品などの小物物品を広く採用することができる。
【符号の説明】
【００４６】
１００…携帯物品保持ケース、
１１０…ケース本体、１１１…外皮材、１１２…物品収容部、１１３…底板、１１４…クッション材、１１５…物品受け体、１１５ａ…袋体、１１５ｂ…変形体、１１６…突起、
１２０…物品クリーナー、１２１ａ…表面面、１２１ｂ…裏面、１２２…挿指部。
【図１】
0006267593.tif 000002
【図２】
0006267593.tif 000003
【図３】
0006267593.tif 000004
【図４】
0006267593.tif 000005
【図５】
0006267593.tif 000006
【図６】
0006267593.tif 000007
【図７】
0006267593.tif 000008